(57)【要約】【課題】開封したことを確実に発見できる遊技機の基板ケースを提供する。【解決手段】本発明の遊技機の基板ケース(100)は、上ケース(101)と下ケース(102)とが重なり合う部分に、ＩＣタグを内蔵した封印シール(104)を貼り付けるための封印シール装着部(105)が形成されている。この封印シール装着部は、上側シール貼付部(106)と、下側シール貼付部(107)と、上側シール貼付部および下側シール貼付部を覆うための封印シールカバー(110)と、カッター小片(115)とを備えている。上側シール貼付部には、封印シールカバーの挿抜方向に沿ってスリット(108)が形成され、下側シール貼付部には、スリットの形状に沿うように長溝(109)が形成されている。カッター小片が嵌め込まれた状態の封印シールカバーを一側に向けて引き抜くと、カッター小片は、封印シールカバーと一体となってスリット内および長溝内を移動するよう構成されている。【選択図】図６
2011200288.tif 000002
【特許請求の範囲】
【請求項１】
上ケースを下ケースに重ね合わせることにより、その内部に遊技の制御を行う制御基板を収納することが可能な遊技機の基板ケースにおいて、
前記上ケースと前記下ケースとが重なり合う部分には、識別情報が記憶されたＩＣタグを内蔵した封印シールを前記上ケースと前記下ケースとに跨って貼り付けることが可能な封印シール装着部が形成され、
この封印シール装着部は、前記上ケースの一部を成すと共に前記封印シールの一部が貼り付けられる上側シール貼付部と、前記下ケースの一部を成し、前記封印シールの他の一部が貼り付けられると共に前記上側シール貼付部と重なり合うことが可能な下側シール貼付部と、開口を有する箱状体を成すと共に前記上側シール貼付部および前記下側シール貼付部を覆う封印シールカバーと、この封印シールカバーに嵌め込まれるカッター小片とを備え、
前記封印シールカバーは、前記開口を重なり合った状態の前記上側シール貼付部と前記下側シール貼付部に向けて一側から被せることにより、前記上側シール貼付部と前記下側シール貼付部とを一緒に覆うものであり、
前記上側シール貼付部には、前記封印シールカバーを前記一側に向けて引き抜く方向に沿ってスリットが形成され、
前記下側シール貼付部には、前記上側シール貼付部と重なり合った状態で前記スリットの形状に沿うように長溝が形成され、
前記封印シールカバーには前記カッター小片を嵌め込むための孔が設けられ、
前記カッター小片は、一旦前記孔に嵌め込まれると抜けない構造を有し、
前記上側シール貼付部および前記下側シール貼付部を覆った状態の前記封印シールカバーに前記カッター小片を前記孔から嵌め込むと、前記カッター小片は、前記スリットおよび前記長溝に挿入された状態に保持され、
前記カッター小片が嵌め込まれた状態の封印シールカバーを前記一側に向けて引き抜くと、前記カッター小片は、前記封印シールカバーと一体となって前記スリット内および前記長溝内を移動するよう構成された
ことを特徴とする遊技機の基板ケース。
【請求項２】
請求項１の記載において、
前記カッター小片は、前記封印シールカバーを前記一側に引き抜く方向における前面に鋭利なエッジ部が形成されており、
前記封印シールは、前記ＩＣタグが前記スリット上に位置するようにして前記上側シール貼付部と前記下側シール貼付部に跨って貼り付けられ、
前記封印シールカバーを前記一側に向けて引き抜くと、前記カッター小片の前記エッジ部が前記封印シールを引き裂きながら前記スリット内を移動する
ことを特徴とする遊技機の基板ケース。
【発明の詳細な説明】
【技術分野】
【０００１】
本発明は、パチンコ機やスロットマシン等の遊技機に用いる基板ケースに関し、特に、基板ケースにＩＣタグ付きの封印シールを貼り付ける場合に好適なものである。
【背景技術】
【０００２】
一般に、パチンコ機やスロットマシン等の遊技機には、遊技の制御を行う種々の制御基板が設けられている。この制御基板は、上ケースと下ケースとからなる基板ケース内に収納されて遊技機の裏面や筐体内部に着脱可能に取り付けられている。このような基板ケースには、制御基板に対する不正行為（例えば、遊技の主制御を行うためのプログラムが記憶された正規ＲＯＭを不正なプログラムが記憶された不正ＲＯＭに交換する行為や、所謂ぶら下がり基板と称する不正基板を制御基板に電気的に接続して正規の動作を妨げるようにする行為など）を防止するために、一部を破壊しない限り封印状態を解除できない封印部材（例えば、アンカーリベット及びワンウェイネジ等）で封印されている。
【０００３】
また、近年では、識別情報が格納されたＩＣタグが付いた封印シール（ＩＣタグ封印シール）をカバー体（上ケース）とベース体（下ケース）とに跨るようにして貼り付けておき、不正にＩＣタグ封印シールを剥がそうとすると、ＩＣタグ封印シールが破損してリーダー機による識別情報の読み取りができなくなることにより、不正行為がされたことを発見しようとする技術が公知となっている（特許文献１参照）。
【先行技術文献】
【特許文献】
【０００４】
【特許文献１】特開２００９−２６１６４０号公報
【発明の概要】
【発明が解決しようとする課題】
【０００５】
しかしながら、不正行為を行う手口は日を追うごとに巧妙になってきており、ＩＣタグ封印シールが破損しないように剥がして、制御基板の正規ＲＯＭを不正ＲＯＭに交換し、再び、ＩＣタグ封印シールを貼り直すといった不正行為が実際に行われるようになってきている。このような不正行為が行われると、ＩＣタグ封印シール自体は破損していないため、リーダー機で識別情報を検査しても、読み取った識別情報自体は正規のものである。従って、実際には不正行為が行われているにも拘わらず、リーダー機では不正行為を発見することができない。このため、遊技場（ホール）が被る被害は、甚大なものとなっているのが実情である。
【０００６】
本発明は、上記した実情に鑑みてなされたものであり、その目的は、開封したことを確実に発見できる遊技機の基板ケースを提供することにある。
【課題を解決するための手段】
【０００７】
上記目的を達成するため、本発明は、  上ケースを下ケースに重ね合わせることにより、その内部に遊技の制御を行う制御基板を収納することが可能な遊技機の基板ケースにおいて、前記上ケースと前記下ケースとが重なり合う部分には、識別情報が記憶されたＩＣタグを内蔵した封印シールを前記上ケースと前記下ケースとに跨って貼り付けることが可能な封印シール装着部が形成され、この封印シール装着部は、前記上ケースの一部を成すと共に前記封印シールの一部が貼り付けられる上側シール貼付部と、前記下ケースの一部を成し、前記封印シールの他の一部が貼り付けられると共に前記上側シール貼付部と重なり合うことが可能な下側シール貼付部と、開口を有する箱状体を成すと共に前記上側シール貼付部および前記下側シール貼付部を覆う封印シールカバーと、この封印シールカバーに嵌め込まれるカッター小片とを備え、前記封印シールカバーは、前記開口を重なり合った状態の前記上側シール貼付部と前記下側シール貼付部に向けて一側から被せることにより、前記上側シール貼付部と前記下側シール貼付部とを一緒に覆うものであり、前記上側シール貼付部には、前記封印シールカバーを前記一側に向けて引き抜く方向に沿ってスリットが形成され、前記下側シール貼付部には、前記上側シール貼付部と重なり合った状態で前記スリットの形状に沿うように長溝が形成され、前記封印シールカバーには前記カッター小片を嵌め込むための孔が設けられ、前記カッター小片は、一旦前記孔に嵌め込まれると抜けない構造を有し、前記上側シール貼付部および前記下側シール貼付部を覆った状態の前記封印シールカバーに前記カッター小片を前記孔から嵌め込むと、前記カッター小片は、前記スリットおよび前記長溝に挿入された状態に保持され、前記カッター小片が嵌め込まれた状態の封印シールカバーを前記一側に向けて引き抜くと、前記カッター小片は、前記封印シールカバーと一体となって前記スリット内および前記長溝内を移動するよう構成されたことを特徴としている。
【０００８】
本発明によれば、スリットの一部を覆い隠すようにして上側シール貼付部と下側シール貼付部とに跨るように封印シールを貼り付けた後、封印シールカバーを挿入して、一旦カッター小片を孔から嵌め込んでしまうと、上ケースと下ケースを開封したい場合には、必ず封印シールカバーを取り外す必要がある。ここで、本発明は、封印シールカバーを引き抜くと、カッター小片も一体となってスリット内と長溝内を移動する構成となっているので、スリットを覆い隠すように貼り付けられた封印シールは、カッター小片がスリット内をスライド移動することにより、確実に引き裂かれる。そのために、封印シールが引き裂かれたことを目視で直ちに確認することができる。
【０００９】
さらに、スリット上にＩＣタグが位置するようにして封印シールを貼り付けておくことにより、封印シールカバーを引き抜くと、カッター小片が、封印シールを破壊するのと同時にＩＣタグも破壊する。よって、リーダー機で封印シールの識別情報を読み取ろうにも、ＩＣタグが破壊されており、読取り機で識別情報を読み取ることができない。このように、本発明によれば、基板ケースを開封しようとすると、封印シールが引き裂かれ、ＩＣタグも破壊されてしまうので、不正行為があったことを確実に発見することができるのである。
【００１０】
しかも、本発明では、カッター小片を封印シールカバーに差し込む前であれば、封印シールを破壊することなく何度でも封印シールカバーを取り外すことができるため、例えば、封印シールに記載されている表示を直接確認したいような場合に利便性がある。
【００１１】
なお、本発明のＩＣタグは、ＲＦＩＤ（Radio frequency identification）形式のものに限定されるものではなく、記憶された識別情報をリーダー機によって非接触で読み取り可能な構成であれば全て含まれる。
【００１２】
また、本発明は、上記構成において、前記カッター小片は、前記封印シールカバーを前記一側に引き抜く方向における前面に鋭利なエッジ部が形成されており、前記封印シールは、前記ＩＣタグが前記スリット上に位置するようにして前記上側シール貼付部と前記下側シール貼付部に跨って貼り付けられ、前記封印シールカバーを前記一側に向けて引き抜くと、前記カッター小片の前記エッジ部が前記封印シールを引き裂きながら前記スリット内を移動することを特徴としている。
【００１３】
この構成によれば、カッター小片に鋭利なエッジ部が形成されているため、ＩＣタグをより確実に破壊でき、不正行為の発見を確かなものとすることができる。なお、本発明のエッジ部は、封印シールを引き裂くことが可能な程度に鋭利な形状であれば全て含まれ、例えば、刃が形成されているものも本発明のエッジ部に含まれる。
【００１４】
また、上記構成において、前記封印シールカバーに爪部が設けられ、前記上ケースおよび前記下ケースの少なくとも一方に前記爪部と係合する係合部が設けられ、前記爪部と前記係合部の係合により、前記封印シールカバーが前記上ケースおよび前記下ケースに保持されるようにすることが好ましい。封印シールカバーを簡単に上ケースおよび下ケースに保持でき、取り付け作業の効率化が図れるからである。
【発明の効果】
【００１５】
本発明によれば、一旦カッター小片を嵌め込んで封印が完了すると、その後に基板ケースを開封したい場合には、必ず封印シールが引き裂かれるため、不正に基板ケースを開封する行為を確実に発見できる。
【図面の簡単な説明】
【００１６】
【図１】本発明の実施の形態例に係る基板ケースが取り付けられるパチンコ機の外観斜視図である。
【図２】図１に示すパチンコ機のガラス扉を開けた状態の外観斜視図である。
【図３】図１に示すパチンコ機の背面図である。
【図４】本発明の実施の形態例に係る基板ケースの外観斜視図である。
【図５】図４に示す基板ケースの正面図であり、封印シールカバーの一部を切り欠いて内部を露呈した状態を示した図である。
【図６】図４に示す基板ケースの分解斜視図である。
【発明を実施するための形態】
【００１７】
以下、発明の実施の形態例を図面を参照して説明する。まず、本発明の実施の形態例に係る基板ケースが取り付けられるパチンコ機（遊技機）Ｐの構成について、図１〜図３を参照しながら説明する。パチンコ機Ｐは、遊技場の島設備に設置される縦長方形状の機枠１と、機枠１に扉状に開閉自在に取り付けられた前面枠２と、前面枠２の内側に収容された遊技盤３と、前面枠２の前面に扉状に開閉自在に取り付けられ、中央に大きく開口部８が形成されたガラス扉４と、このガラス扉４の開口部８に取り付けられた透明なガラス板１０と、前面枠２の下側に開閉自在に配設され、遊技球を収容する受皿５を有する前面ボード６と、前面枠２の下部に設けられた発射装置９と、前面ボード６に取り付けられ、パチンコ球の発射強度を調整するハンドル７等を具備している。さらに、ガラス扉４の上部にはスピーカ２０が左右に１個ずつ取り付けられており、遊技に関する様々な効果音を発している。また、受皿５の側部には、遊技者が押下操作するタッチボタン６０が設けられている。
【００１８】
また、図３に示すように、このパチンコ機Ｐは、背面側に、主制御処理部１１と、副制御処理部を構成する演出制御処理部１２ａ、特別図柄表示制御部１２ｂ、ランプ制御処理部１２ｃ、払出制御処理部１２ｅ、および普通図柄表示制御部１２ｆと、発射制御処理部１３と、賞球払出装置１４等を備えている。
【００１９】
遊技盤３は、その盤面に遊技領域３１を有しており、前面枠２に装着した後、ガラス板１０から遊技領域３１を観察することができる。遊技領域３１は、遊技球を滑走させるガイドレール３２と遊技球規制レール３３によって略円形状となるように区画形成されており、発射装置９によって打ち出された遊技球はこの遊技領域３１内を流下する。また、遊技領域３１内には、特別図柄表示装置１７と、演出表示装置３４と、スルーチャッカ２１と、普通図柄表示装置２２と、電動チューリップ４９と、ステージ３６と、第１始動入賞口（始動口）３７ａおよび第２始動入賞口（始動口）３７ｂと、一般入賞口３８と、アウト口３９と、遊技釘（図示せず）と、風車（図示せず）と、アタッカー装置４１等が設けられている。なお、遊技盤３に設けられたこれらの構成は公知であるため、各構成の詳しい説明は省略する。
【００２０】
主制御処理部１１は、ＣＰＵ（Central Processing Unit）と、予め定められた制御プログラムを格納するＲＯＭ（Read Only Memory）と、生成された処理情報の一時記憶及び記憶した情報の削除を行うＲＡＭ（Random Access Memory）等が実装されたメイン基板（制御基板）１０３と、このメイン基板１０３を収納する基板ケース（遊技機の基板ケース）１００とを備えて構成されている。このＣＰＵがＲＯＭに格納された各種プログラムやデータを読み込んで実行することにより、遊技に関する主要な処理が行われる。なお、基板ケース１００は、遊技盤３の裏面に支持部材等を介して設けられている。
【００２１】
副制御処理部を構成する演出制御処理部１２ａ、特別図柄表示制御部１２ｂ、ランプ制御処理部１２ｃ、払出制御処理部１２ｅ、および普通図柄表示制御部１２ｆは、主制御処理部１１からの指令（コマンド）を受けて、演出表示装置３４やスピーカ２０、その他の演出装置（ＬＥＤ装置など）などの制御を行う装置である。この副制御処理部を構成する各装置も、遊技盤３の裏面に支持部材等を介して設けられている。
【００２２】
演出制御処理部１２ａは、遊技の演出に関する制御を行うためのものであり、特別図柄表示制御部１２ｂは、主制御処理部１１で決定した特別図柄に関する表示の制御を行うためのものであり、普通図柄表示制御部１２ｆは、普通図柄に関する表示の制御を行うためのものである。また、ランプ制御処理部１２ｃは、主制御処理部１１からコマンドを受けて各種ランプや電飾の点灯制御を行うものである。また、払出制御処理部１２ｅは、ＣＲユニットからの信号を受けて遊技球を遊技者に貸し出すように賞球払出装置１４を制御する他、主制御処理部１１からの払出指令を受けて、所定個数の賞球を遊技者に対して払い出すように賞球払出装置１４を制御するためのものである。また、発射制御処理部１３は、ハンドル７の回動量に応じて、発射装置９に対する作動の制御を行う装置である。
【００２３】
次に、メイン基板１０３を収納する基板ケース１００の構造の詳細について、図４〜図６を参照しながら説明するが、以下の説明において上下左右の方向を言うときは、図５に示すように基板ケースの正面側から見た場合を前提としていることをここで予め断っておく。
【００２４】
本実施形態に係る基板ケース（遊技機の基板ケース）１００は、矩形箱状の透明な上ケース１０１と、矩形箱状の透明な下ケース１０３とを備えており、上ケース１０１を下ケース１０２に重ね合わせると、その内部に空間が形成されるようになっている。その空間にメイン基板１０３が収納されることとなる。さらに、基板ケース１００には、封印シール１０４を貼り付けるための封印シール装着部１０５が形成されている。
【００２５】
封印シール１０４は、ＩＣタグ１１６が内蔵され、裏面に粘着性材料が塗布されたシールであり、一旦貼り付けると、その後で封印シール１０４を剥がしても、剥がした痕跡が残る仕様となっている。なお、このＩＣタグ１１６は、固有の識別情報が記憶されたＩＣチップと、アンテナとを備えており、ＩＣチップに記憶された識別情報はリーダー機によって読み取りが可能となっている。
【００２６】
封印シール装着部１０５は、図４に示すように上ケース１０１と下ケース１０２の重なり合う部分のうち、右側部に形成されている。この封印シール装着部１０５は、図６に示すように、封印シール１０４の一部が貼り付けられる上側シール貼付部１０６と、封印シール１０４の他の一部が貼り付けられる下側シール貼付部１０７と、上側シール貼付部１０６および下側シール貼付部１０７を覆うための透明な封印シールカバー１１０と、この封印シールカバー１１０に嵌め込まれるカッター小片１１５とを備えて構成されている。
【００２７】
上側シール貼付部１０６は、上ケース１０１の右側部に形成されたプレート状の構造体であり、その中央には左右方向（封印シールカバー１１０の引き抜き方向）に亘ってスリット１０８が設けられている。なお、スリット１０８の幅は、カッター小片１１５の幅より僅かに大きくなっている。また、スリット１０８を挟んで上下に１つずつネジ止め用孔１２０ａ、１２０ｂが設けられている。さらに、上側シール貼付部１０６には、封印シール１０４の厚さとほぼ等しい高さの段差１２２が設けられており、この段差１２２に封印シール１０４を突き当てることにより、封印シール１０４の位置合わせが行えるようになっている。そして、封印シール１０４を貼り付けると、上側シール貼付部１０６の表面は略面一となる。
【００２８】
下側シール貼付部１０７は、下ケース１０２の右側部に形成されたプレート状の構造体であり、その中央には左右方向（封印シールカバー１１０の引き抜き方向）に亘って長溝１０９が設けられている。なお、長溝１０９の幅は、スリット１０８の幅と同じ寸法になっている。また、長溝１０９を挟んで上下に１つずつネジ穴１２１ａ、１２１ｂが設けられている。
【００２９】
そして、上ケース１０１と下ケース１０２を重ね合わせると、上側シール貼付部１０６と下側シール貼付部１０７とが重なり合うようになり、スリット１０８と長溝１０９が丁度一致し、基板ケース１００の正面側から見ると１本の溝が形成されたようになる。なお、ネジ止め用孔１２０ａとネジ穴１２１ａの位置が一致し、ネジ止め用孔１２０ｂとネジ穴１２１ｂとも位置が一致するようになっており、上ケース１０１と下ケース１０２を重ね合わせた後にネジ止め用孔１２０ａ、１２０ｂからネジを挿入してネジ穴１２１ａ、１２１ｂにてネジ止めすると、上側シール貼付部１０６と下側シール貼付部１０７とが固定されることとなる。
【００３０】
封印シールカバー１１０は、開口１１２を有し、上側シール貼付部１０６と下側シール貼付部１０７とを一度に覆うことが可能な大きさの矩形の箱型形状を成している。この封印シールカバー１１０には、三角柱形状のカッター小片１１５が嵌め込まれる程度の大きさの三角孔１１１が設けられている。
【００３１】
カッター小片１１５は、詳しくは後述するが、封印シール１０４を引き裂くための部材であって、その表面に、可撓性の係止爪１１５ａが設けられている。この係止爪１１５ａは、カッター小片１１５を封印シールカバー１１０の三角孔１１１に嵌め込む際には撓むが、三角孔１１１に嵌め込まれたカッター小片１１５を引き出そうとしても撓まないようになっている。そのため、一旦カッター小片１１５が封印シールカバー１１０の三角孔１１１に嵌め込まれると、係止爪１１５ａによって、カッター小片１１５は外側から取り外すことはできなくなる。つまり、このカッター小片１１５は、所謂、嵌め殺し構造となっているのである。なお、カッター小片１１５は、三角柱形状の四角形を成す面同士が交わって形成される辺のうち、封印シールカバー１１０の引き抜き方向における前側に位置する辺が鋭利なエッジ部１１５ｂとなっている。
【００３２】
また、封印シールカバー１１０の上下端部には、それぞれ三角柱状の突起（爪部）１１３ａ、１１３ｂが設けられており、上ケース１０１には、突起１１３ａ、１１３ｂと係合する係合突起（係合部）１１４ａ、１１４ｂが設けられている。
【００３３】
次に、メイン基板１０３を基板ケース１００に取り付けて、基板ケース１００を封印するまでの手順について説明する。まず、メイン基板１０３を下ケース１０２にネジ止めして固定し、その次に、上ケース１０１を下ケース１０２に被せる。そして、上ケース１０１と下ケース１０２との締結部（図示せず）を適宜固定すると共に、ネジ止め用孔１２０ａ、１２０ｂからネジを差し込んで、上側シール貼付部１０６と下側シール貼付部１０７とを固定する。その次に、封印シール１０４の一端を段差１２２に突き当てて位置合わせをした後、ＩＣタグ１１６がスリット１０８上に位置するようにしながら、封印シール１０４を上側シール貼付部１０６と下側シール貼付部１０７とに跨るように全体的に貼り付ける。次いで、封印シールカバー１１０の開口１１２を左側に向け、その状態で、封印シールカバー１１０を右側から左側に移動させて、上側シール貼付部１０６と下側シール貼付部１０７とに被せる。さらに、突起１１３ａ、１１３ｂが係合突起１１４ａ、１１４ｂと係合するまで左側に押し込むようにして、封印シールカバー１１０を上ケース１０１と下ケース１０２とに保持させる。次いで、カッター小片１１５を三角孔１１１から封印シールカバー１１０に嵌め込む。これにより、基板ケース１１０の封印が完了する。
【００３４】
封印が完了した状態では、図５に示すようにカッター小片１１５は、スリット１０８内の左端に位置している。この状態では、リーダー機を封印シール１０４に近付けると、ＩＣタグ１１６に記憶されている識別情報をリーダー機が読取ることができる。なお、図５には、封印シールカバー１１０の表面の一部を切り欠いて、内部の封印シール１０４、スリット１０８、およびカッター小片１１５が露呈した状態が示されている。
【００３５】
続いて、基板ケース１００の封印を解除する手順について説明する。図５の状態から、封印シールカバー１１０の右端を手で掴んで右側に引き抜くと、突起１１３ａ、１１３ｂと係合突起１１４ａ、１１４ｂとの係合が解除され、封印シールカバー１１０は右側にスライド移動する。このとき、カッター小片１１５は、その先端部が長溝１０９にガイドされた状態で、封印シールカバー１１０と一体となってスリット１０８内を右側にスライド移動する。ここで、封印シール１０４はスリット１０８の一部を覆い隠すように貼り付けられているため、カッター小片１１５が少し右側にスライド移動すると、カッター小片１１５は、封印シール１０４と接触する。そして、さらに封印シールカバー１１０を右側に引っ張ると、カッター小片１１５のエッジ部１１５ｂは、封印シール１０４を引き裂きながら、スリット１０８内を右側にスライド移動し、最終的に、封印シールカバー１１０がカッター小片１１５と共に上ケース１０１、下ケース１０２から取り外される。
【００３６】
このように、本実施形態に係る基板ケース１００によれば、一旦、ＩＣタグ１１６をスリット１０８上に位置させて封印シール１０４を上側シール貼付部１０６と下側シール貼付部１０７とに跨るようにして貼り付け、封印シールカバー１１０を上ケース１０１および下ケース１０２に取り付けた後に、一旦、カッター小片１１５を嵌め込むと、封印シール１０４を引き裂かない限り封印シールカバー１１０を取り外すことはできないこととなる。つまり、本実施形態に係る基板ケース１００は、一旦封印が完了すると、封印シール１０４を破壊しない限り封印が解除されない構成となっているのである。しかも、ＩＣタグ１１６がスリット１０８上に位置しているので、エッジ部１１５ｂによってＩＣタグ１１６が確実に破壊されることとなる。
【００３７】
よって、基板ケースを不正に開封して不正なＲＯＭに交換するような行為を行った場合には、ＩＣタグが破壊されることから、リーダー機で封印シール１０４の識別情報を読み取ろうにも、読み取ることができない。そのため、本実施形態に係る基板ケース１００は、不正行為がされたことを確実に発見することができるのである。勿論、封印シール１０４が引き裂かれているため、目視確認することによっても、確実に不正行為の発見が可能である。
【００３８】
また、本実施形態に係る基板ケース１００は、カッター小片１１５を嵌め込む前であれば、何度でも封印シールカバー１１０を取り外すことができるので、封印シール１０４の印字等を再度目視確認したいような場合にも便利である。
【００３９】
なお、上記した実施の形態例では、エッジ部１１５ｂとして、三角柱形状の辺の一部を鋭利にした構成を採用したが、この構成に代えて、エッジ部１１５ｂに刃や鋸刃を形成するようにしても良い。
【００４０】
また、上記した実施の形態例では、カッター小片１１５の形状として三角柱状の構成を採用したが、封印シール１０４を引き裂くことが可能な形状であれば、如何なる形状であっても構わない。
【００４１】
また、上記した実施の形態例では、係合突起１１４ａ、１１４ｂを上ケース１０１にのみ設けた構成としたが、この構成に代えて、係合突起１１４ａ、１１４ｂを下ケース１０２にのみ設けても良い。あるいは、係合突起１１４ａ、１１４ｂを上ケース１０１と下ケース１０２の両方に設けても良い。何れの構成であっても、封印シールカバー１０４を好適に保持可能である。
【００４２】
また、上記した実施の形態例に係る基板ケース１００は、メイン基板１０３以外にも、上記した演出制御処理部１２ａ、特別図柄表示制御部１２ｂ、ランプ制御処理部１２ｃ、払出制御処理部１２ｅ、および発射制御処理部１３の制御基板を収納するケースとして用いることもできる。
【符号の説明】
【００４３】
１００  基板ケース
１０１  上ケース
１０２  下ケース
１０３  メイン基板（制御基板）
１０４  封印シール
１０５  封印シール装着部
１０６  上側シール貼付部
１０７  下側シール貼付部
１０８  スリット
１０９  長溝
１１０  封印シールカバー
１１１  三角孔（孔）
１１２  開口
１１３ａ、１１３ｂ  突起（爪部）
１１４ａ、１１４ｂ  係合突起（係合部）
１１５  カッター小片
１１５ａ  係止片
１１５ｂ  エッジ部
１１６  ＩＣタグ
【図１】
2011200288.tif 000003
【図２】
2011200288.tif 000004
【図３】
2011200288.tif 000005
【図４】
2011200288.tif 000006
【図５】
2011200288.tif 000007
【図６】
2011200288.tif 000008